(57)【特許請求の範囲】
【請求項１】
器具取付面に設置された配線器具に取付けられる取付部を有する本体と；
前記取付部の外周側に配設される点灯装置と；
白色反射層を有する実装面が前面側に向けられ前記点灯装置の外側に点灯装置と重なり合わないように裏面側が前記本体に配設された基板と；
周方向に沿って前記基板に実装された複数の発光素子と；
前記発光素子に囲まれた領域であるとともに取付部と発光素子との間に配設されたセンサと；
前記本体に取付けられるとともに、前記発光素子およびセンサを覆うカバー部材と；
を具備することを特徴とする照明器具。
【請求項２】
前記発光素子と、前記センサは同方向に配設されていることを特徴とする請求項１記載の照明器具。
【請求項３】
カバー部材内の光を受けてセンサが誤作動することを抑制するための誤作動抑制手段を備えていることを特徴とする請求項１または２に記載の照明器具。
【発明の詳細な説明】
【技術分野】
【０００１】
本発明の実施形態は、光源としてＬＥＤ等の発光素子を用いた照明器具に関する。
【背景技術】
【０００２】
従来より、オフィスや居住空間の省電力などを目的として、照度センサにより周囲環境の照度を検出して、略一定の照度を保つように蛍光ランプや、ＬＥＤなどからの光出力を自動制御する照明器具が知られている。
【０００３】
これらオフィスや住宅で使用される器具においては、主光源から照射される光を受光して誤動作するおそれがあることから、主光源からの光を受光しにくい領域や、主光源を覆うカバー部材の外枠や、照射面から突出させ配設していた。
【先行技術文献】
【特許文献】
【０００４】
【特許文献１】特開２０１０−９７８８９９号
【発明の概要】
【発明が解決しようとする課題】
【０００５】
しかしながら、上記照明器具の場合、器具のデザイン性を向上させても、カバー部材枠から照度センサ、人感センサなどの受光部を突出する構造であるため、意匠性を損ねる、天井面への取り付けに制限を受けるなどの問題が生じる。
【０００６】
本発明は、上記課題に鑑みなされたもので、センサを備えている照明器具において意匠性を低下させることを抑制できるセンサ付き照明器具を提供することを目的とする。
【課題を解決するための手段】
【０００７】
本発明の実施形態による照明器具は、器具取付面に設置された配線器具に取付けられる取付部を有する本体と；前記取付部の外周側に配設される点灯装置と；白色反射層を有する実装面が前面側に向けられ前記点灯装置の外側に点灯装置と重なり合わないように裏面側が前記本体に配設された基板と；周方向に沿って前記基板に実装された複数の発光素子と；前記発光素子に囲まれた領域であるとともに取付部と発光素子との間に配設されたセンサと；前記本体に取付けられるとともに、前記発光素子およびセンサを覆うカバー部材と；を備えている。
【発明の効果】
【０００８】
本発明の実施形態によれば、透光性カバー部材内にセンサを設けている、器具意匠性を損なうことのない照明器具を提供することができる。
【図面の簡単な説明】
【０００９】
【図１】本発明の実施形態に係る照明器具を示す斜視図である。
【図２】同照明器具を示す分解斜視図である。
【図３】同照明器具を示す断面図である。
【図４】同照明器具の遮蔽手段を設けた実施形態に係る照明器具を示す断面図である。
【図５】本発明の実施形態に係る第２の実施形態に係る照明器具の断面図である。
【図６】導照明器具の一部拡大断面図である。
【発明を実施するための形態】
【００１０】
以下、本発明の実施形態について図１乃至図４を参照して説明する。各図においてリード線等による配線接続関係は省略して示している場合がある。なお、同一部分には同一符号を付し、重複した説明は省略する。
【００１１】
本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
【００１２】
図１乃至図３において、照明器具は、本体１と、光源部２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
【００１３】
本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側に向かう段差部１３が形成されて樋状の凹部１４が形成されている。そして、前記段差部１３には、カバー部材７が着脱可能に取付けられるカバー受部材が配置されている。カバー受部材は、より詳しくは、カバー受金具７５であり、段差部１３によって形成される凹部１４に配置されるようになっている。さらに、本体１の背面側には、弾性部材１５が設けられている。
【００１４】
光源部２は、基板２１と、この基板２１に実装された複数の発光素子２２とを備えている。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。
【００１５】
このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
【００１６】
基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００１７】
発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色Ｎのものと電球色Ｌのものとが用いられており、これらが交互に並べられていて、各列の隣接する発光素子２２は略等間隔を空けて配設されている。この昼白色と電球色のＬＥＤパッケージに流れる電流等を調整することにより調色が可能となっている。
【００１８】
なお、発光素子２２は、必ずしも複数列に実装する必要はない。例えば、周方向に沿って１列に実装するようにしてもよい。所望する出力に応じて発光素子２２の列数や個数を適宜設定することができる。
【００１９】
ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
【００２０】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００２１】
拡散部材３は、レンズ部材であり、例えば、ポリカーボネートやアクリル樹脂等の絶縁性を有する透明合成樹脂からなり、前記発光素子２２の配置に沿って略サークル状に一体的に形成されていて、発光素子２２を含めて基板２１の全面を覆うように配設されている。
【００２２】
また、レンズ部材は、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
【００２３】
さらに、これら突条部３１からは幅方向に延出する平坦部３３が形成されており、これにより基板２１の全面が覆われるようになっている。
【００２４】
このように構成されたレンズ部材によれば、複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
【００２５】
したがって、レンズ部材によって複数の発光素子２２から出射される光による照射光の均斉度を向上することが可能となる。さらに、各発光素子２２の輝度による粒々感を抑制することができる。この場合、拡散による配光角度を１２０度〜１６０度程度に設定するのが望ましい。
【００２６】
また、拡散部材３には、平坦部３３が形成されて基板２１の全面を覆うようになっているので、充電部が拡散部材３によって覆われ保護される。
【００２７】
なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
【００２８】
また、拡散部材３は、レンズ部材に限らず、拡散シート等を適用するようにしてもよい。上記のように構成された光源部２は、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている。つまり、１本のねじＳによって基板２１と拡散部材３とが共締めされている。
【００２９】
したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
【００３０】
加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
【００３１】
点灯装置４は、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
【００３２】
このような点灯装置４は、取付部６と光源部２、すなわち、基板２１との間に配設されている。
【００３３】
点灯装置カバー５は、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
【００３４】
取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
【００３５】
なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
【００３６】
カバー部材７は、アクリル樹脂等の透光性を有し、乳白色を呈する拡散性を備えた材料から略円形状に形成されている。カバー部材７は、光源部２および電気的補助部品６２などを含めた本体１の前面側を覆うように本体１の外周縁部に着脱可能に取付けられるようになっている。具体的には、カバー部材７を回動することによって、カバー部材７に設けられたカバー取付金具を本体１の外周部の段差部１３における凹部１４に配設されたカバー受金具７５に係合することにより取付けられる。また、カバー部材７を取外す場合には、カバー部材７を取付時とは反対方向に回動して、カバー取付金具７４とカバー受金具７５との係合を解くことにより、取外すことができる。
【００３７】
電気的補助部品６２の１部品である赤外線リモコン信号受信部は、赤外線受光ＩＣであり、光電変換素子であるフォトダイオードや増幅器などから構成されており、赤外線リモコン送信器Ｒから送信される赤外線制御信号を受信して発光素子６１の発光状態等を制御するように動作する。照度センサは、フォトダイオードなどからなっており、周囲の明るさを測定して検出信号を出力するように動作する。これにより周囲が明るい場合には、発光素子６１を減光（調光）して点灯するようにしてもよい。
【００３８】
なお、照度センサ内には可視光領域の感度特性を有する照度センサから得られる出力を検出して点灯装置５に伝送される。しかし、光源部３および電気的補助部品６２は、拡散性を有するカバー部材７内に配設されているため、カバー部材７の光拡散作用や、カバー部材７内面にて反射する反射光を検知することで、例えば照度センサは、器具直下の領域の照度とカバー部材７内にて拡散された照度を感知して調光制度が低下するおそれもある。このような場合には、点灯装置４の制御手段によって制御することが考えられる。例えば、カバー部材７を介して検出される照度検出値が大きくなり、実際の床面の照度との照度誤差が増大した場合、照度センサにより検出された照度検出値から照度誤差を削除した値に補正することにより、照度センサの検出精度を向上させることができる信頼性の高い動作を確保することができる。
【００３９】
また、カバー部材７内の拡散光や反射光を照度センサが感知し、調光制度が低下する虞のある場合には、別の方法として例えば、図４に示すような、照度センサ受光部とカバー部材７内面との間に、遮光可能な間接光遮光部材８２を配設するなどしても構わない。なお、本実施の形態において、間接遮光部材８２は黒色円筒状のスポンジであり、電機補助部品６２としての照度センサ検出部を円筒状の開口に位置させ、スポンジの上下面を取付部６面およびカバー部材７に密着させている。なお、照度センサ誤動作を抑制する手段を設ける場合には、その構成などは限定されるものではないさらに、照度センサのみならず、人感センサなどの誤作動を抑制するための手段をさらに設けても構わない。
【００４０】
このようにカバー部材７が本体１に取付けられた状態においては、カバー部材７の内面側は、点灯装置カバー５の前面壁５２に面接触するまたは近接配置される。なお、点灯装置カバー５の切り欠きには、電気的補助部品６２の赤外線リモコン信号受信部および照度センサが介在し、カバー部材７の内面と近接配置している。なお、点灯装置４等から発生する熱は、接触または近接配置された点灯装置カバー５へ伝導し、さらにカバー部材７へ伝導させて放熱を促進することが可能となる。
【００４１】
なお、拡散部材３とカバー部材７との間の距離は、２０〜６０ｍｍ、好ましくは３０〜５０ｍｍに設定されている。これにより、発光素子２２から出射される光が拡散され照射光の均斉度が良好となり、また、基板２１の実装面側から拡散部材３に伝導された熱がカバー部材７を経由して効果的に放熱されるようになる。
【００４２】
アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置４へ接続する電源コードが導出されていて、点灯装置４とコネクタを介して接続されるようになっている。
【００４３】
次に、照明器具の天井面Ｃへの取付状態を説明する。まず、予め天井面Ｃに設置されている引掛けシーリングボディＣｂにアダプタＡが電気的かつ機械的に接続されている。この状態から取付部６としてのアダプタガイドの係合口６１をアダプタＡに合わせながら、アダプタＡの係止部Ａ1がアダプタガイドの係合口６１に確実に係合するまで器具本体を下方から手で押し上げて取付け操作を行う。そして、カバー部材７を本体１に取付ける。この取付完了状態が示す状態であり、このとき、弾性部材１５が天井面Ｃと本体１の背面側との間に密着状態で介在され、照明器具は、天井面Ｃに固定状態となる。
【００４４】
また、照明器具を取外す場合には、カバー部材７を取外し、アダプタＡに設けられているレバーを操作してアダプタＡの係止部Ａ1の係合を解くことにより取外すことができる。
【００４５】
照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７によって拡散され透過して外方へ照射される。したがって、照射光の均斉度の向上を図ることができるとともに、各発光素子２２の輝度による粒々感を抑制することが可能となる。
【００４６】
また、半径方向の内周側へ向かう一部の光は、点灯装置カバー５における傾斜状の側壁５１によって前面側に反射され有効に利用されるようになる。
【００４７】
さらに、カバー受金具７５は、本体１の外周に形成された段差部１３に配置されているので、前面側への突出量が少なく、発光素子２２から出射される光の障害物となるのを抑制できる。
【００４８】
一方、発光素子２２から発生する熱は、基板２１の裏面側が本体１に面接触しているため、本体１に効果的に伝導され、広い面積で放熱されるようになる。また、基板２１の外周側近傍には、基板２１の外周に沿って段差部１３が位置しているため、この段差部１３によって放熱面積を増大させることができ、本体１外周部での放熱効果を高めることが可能となる。加えて、この段差部１３は、本体１の補強効果を奏することができるものとなっている。
【００４９】
また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
【００５０】
さらに、カバー部材７は、点灯装置カバー５に面接触するようになっているので、点灯装置４から発生する熱を点灯装置カバー５へ伝導し、さらにカバー部材７へ伝導させて放熱をさせることができる。
【００５１】
加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
【００５２】
以上のように本実施形態によれば、電気的補助部品６２をカバー部材７内に配設しているので、器具本体の意匠性を向上させることができる。また、窓際などに器具本体１を取り付けた場合においても、外光を直接照度センサが受けることがないため、外光による照度検出精度を低下することも抑制できるため、居住空間における器具１配置制限をも抑制することができる。
【００５３】
なお、本発明は、上記各実施形態の構成に限定されることなく、発明の要旨を逸脱しない範囲で種々の変形が可能である。例えば、発光素子は、ＬＥＤや有機ＥＬ等の固体発光素子が適用でき、この場合、発光素子の個数は特段限定されるものではない。
【００５４】
次に、図５および図６に第２の実施の形態を示す。図５は、本実施形態にかかわる照明装置を天井に取り付けた状態を示す断面図であり、図６は図５中は線に囲まれた部分を示す拡大図である。
【００５５】
本実施の形態は、第１の実施の形態と同一のものは、同一の符号を付してその説明は省略する。
【００５６】
図５、図６において、照明器具は、器具本体１と、光源部２と、点灯装置４と、センター部材４とを備えている。さらに、照明器具は、電気的補助部品としての照度センサ６２ａと、カバー部材７と、中央カバー部材８と、間接光光源部９とを備えている。
【００５７】
図に示すように、光源部２は、内周側の列及び外周側の列に、発光色が昼白色（Ｎ）のものと電球色（Ｌ）の発光素子２２が用いられており、これらが円周上に略等間隔を空けて交互に並べられて配設されている。発光素子２２は、青色光を発光するＬＥＤチップである。透光性樹脂には、蛍光体が混入されており、昼白色（Ｎ）、電球色（Ｌ）の白色系の光を出射できるようにするために、主として青色の光とは補色の関係にある黄色系の光を放射する黄色蛍光体が使用されている。
【００５８】
中間の列に実装されている発光素子２２には、赤色（Ｒ）、緑色（Ｇ）、青色（Ｂ）に発光するものが用いられている。
【００５９】
これら赤色（Ｒ）、緑色（Ｇ）、青色（Ｂ）に発光する発光素子２２は、円周上に順次、赤色（Ｒ）、緑色（Ｇ）、青色（Ｂ）と連続的に略等間隔を空けて配置されている。
【００６０】
図に示すように、光源部２の前面側には、光源部カバー２５が配設されている。光源部カバー２５は、例えば、ポリカーボネートやアクリル樹脂等の絶縁性を有する透明合成樹脂からなり、前記発光素子２２の配置に沿って略サークル状に一体的に形成されていて、発光素子２２を含めて基板２１の全面を覆うように配設されている。
【００６１】
したがって、発光素子２２から出射される光は、光源部カバー２５を透過するようになる。また、基板２１の全面を覆うようになっているので、充電部が光源部カバー２５によって覆われ絶縁性が確保される。
【００６２】
点灯装置４は、点灯装置カバー４５に取付けられ覆われて、本体１の背面側に配置されるようになる。この場合、回路基板４１は、回路部品４２が前面側（図示上、下方側）に向けられて取付けられる。
【００６３】
間接光光源部９は、本体１の背面側に設けられていて、主として天井面を明るく照らす機能を有している。間接光光源部９は、基板９１と、この基板９１に実装された複数の発光素子９２とを備えている。
【００６４】
この発光素子９２が実装された基板９１が前記点灯装置カバー３５の側壁３５ａにおける４箇所に取付けられている。また、これら基板９１は、箱状の透光性のカバー９３に覆われるようになっている。
【００６５】
発光素子９２は、前記光源部２と同様に、ＬＥＤであり、表面実装型のＬＥＤパッケージである。そして、発光素子９２は、点灯装置４に接続されて点灯制御されるようになっている。
【００６６】
さらに、点灯装置カバー４５の背面側には、間接光光源部９の取付位置に対応して、その近傍に照明器具取付用ばね部材が取付けられている。ばね部材は、ステンレス鋼等の金属製からなり、横長の長方形状の板ばねを折曲して形成されている。
【００６７】
センター部材１０は、図５の参照を加えて示すように、ＰＢＴ樹脂等の合成樹脂材料で作られ、略短円筒状に形成されており、中央部に引掛けシーリングボディＣｂに対向する開口１０ａを有している。また、開口１０ａの周囲には、環状の空間部１０ｂが形成されていて、この空間部１０ｂには、後述する電気的補助部品６２としての照度センサ６２ａが配設されるようになっている。
【００６８】
さらに、センター部材１０の前面壁には、照度センサ６２ａの受光部と対向する受光窓１０ｃ及び複数の鍵状の係合孔が形成されている。さらにまた、前面壁の外周縁部には、前面側へ突出する複数の係合突起が形成されている。なお、前記受光窓１０ｃは、前面壁から内側に向かって延出する円筒状の案内筒の前面端に形成されるようになっている。
【００６９】
このように構成されたセンター部材１０は、主として図５に示すように、背面側のフランジが光源部カバー２５を介してシャーシにねじ止めされて取付けられている。なお、センター部材１０は、シャーシに直接的又は間接的に取付けることができ、その具体的な取付構成が限定されるものではない。
【００７０】
照度センサ６２ａは、フォトダイオード等のセンサ素子からなっていて、周囲の明るさを検知して検出信号を出力するように動作する。これにより、周囲が明るい場合には、光源部２、すなわち、発光素子２２を調光（減光）して点灯するように制御する。
【００７１】
照度センサ６２ａは、基板６２ｂに実装され、その受光部が受光窓１０ｃに対向するようにセンター部材１０の空間部１０ｂ内に配設され取付けられている。より詳しくは、基板６２ｂがセンター部材１０のボスにねじ止めされ、照度センサ６２ａが案内筒に収容され、その受光部が受光窓１０ｃに対向するように配設される。
【００７２】
カバー部材７は、アクリル樹脂等の透光性を有し、乳白色を呈する拡散性を備えた材料から略円形状に形成されており、中央部には円形状の開口７１が形成されている。また、この開口７１の開口縁部Ｅには、前記センター部材１０における図示しない複数の係合突起に対向する複数の切欠き部が形成されている。さらに、カバー部材７の外周部には、カバー部材化粧枠が取付けられていて、このカバー部材化粧枠７２は、アクリル樹脂等からなる透明材料から形成されている。
【００７３】
そして、カバー部材７は、光源部２を含めた本体１の前面側を覆うように本体１の外周縁部に着脱可能に取付けられるようになっている。具体的には、カバー部材７を回動することによって、カバー部材７に設けられたカバー部材取付金具７４を、本体１の突出部によって形成された凹部に設けられたカバー部材受金具７５に係合することにより取付けられる。
【００７４】
中央カバー部材８は、透明のアクリル樹脂等の材料から円形状に形成されている。この中央カバー部材８は、カバー部材７の開口７１に対応し、センター部材１０の前面壁に取付けられて、センター部材１０の開口１０ａを覆って閉塞するように配設される。
【００７５】
中央カバー部材８には、照度センサ６２ａの受光窓１０ｃと対向する円形状の透過部８１が形成されているとともに、背面側にはセンター部材１０の前面壁に形成された複数の鍵状の係合孔と対向する複数のＬ字状の係合突起が形成されている。
【００７６】
なお、中央カバー部材８の前面側には、少なくとも透過部８１を残して不透光性のフィルム材等を貼着することが望ましい。
【００７７】
このような中央カバー部材８の取付工程において、カバー部材７の開口縁部Ｅとセンター部材１０に形成された照度センサ６２ａの受光窓１０ｃとの位置関係を図６（ａ）（ｂ）を参照して説明する。
【００７８】
図６（ａ）に示すように、カバー部材７を本体１に取付けた状態、すなわち、中央カバー部材８を取付ける前の状態においては、カバー部材７の開口縁部Ｅは、センター部材１０の前面より前面側に位置し、照度センサ６の受光窓１０ｃより前面側に位置している。
【００７９】
この状態から図６（ｂ）に示すように、中央カバー部材８を取付けることにより、カバー部材７の開口縁部Ｅは、センター部材１０の前面より背面側に位置される。具体的には、カバー部材７の開口縁部Ｅは、照度センサ６の受光窓１０ｃより背面側へ位置するようになる。
【００８０】
図６（ａ）に示すように、仮に、カバー部材７の開口縁部Ｅが照度センサ６２ａの受光窓１０ｃより前面側に位置する場合には、光源部２から出射され、カバー部材７によって拡散又は導光された光が受光窓１０ｃから入射し、照度センサ６２ａに影響する可能性がある。
【００８１】
しかしながら、図６（ｂ）に示すように、カバー部材７の開口縁部Ｅをセンター部材１０の前面より背面側に位置させ、照度センサ６２ａの受光窓１０ｃより背面側へ位置させることにより、光源部２からの光が照度センサ６２ａに影響するのを抑制することが可能となる。
【００８２】
さらに、中央カバー部材８における照度センサ６２ａの受光窓１０ｃと対応する周囲は、誤作動制御手段である間接光遮光部材７６として、肉厚を薄く形成された肉薄部８２が形成されている。この肉薄部８２により光源部２からの光が中央カバー部材８に導光される光の量を部分的に少なくできるので、照度センサ６２ａにカバー部材７および中央カバー部材８からの光を受けて誤作動することを抑制することができる。加えて、前記周囲に黒色のテープを貼付したり、黒色の塗装を施したり、カバー部材７内で導光した光を照度センサ６２ａとは異なる方向へ導くような反射部や、切欠部などを形成することにより、遮光効果が高まり、光源部２からの光が照度センサ６２ａに影響するのを抑制する効果が高まる。
【００８３】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。例えば、上記実施形態においては、光源として好適なＬＥＤ等の発光素子を用いるものについて説明したが、光源は特段限定されるものではなく、光源として蛍光ランプ等を用いる照明器具に適用することを妨げるものではない。
【符号の説明】
【００８４】
１・・・本体、２・・・光源部、３・・・拡散部材（レンズ部材）、４・・・点灯装置、５・・・点灯装置カバー、６・・・取付部（アダプタガイド）、７・・・カバー部材、８・・・中央カバー部材、１３・・・段差部、２１・・・基板、２２・・・発光素子（ＬＥＤ）、３１・・・突条部、３３・・・平坦部、７４・・・カバー取付金具、７５・・・カバー受部材（カバー受金具）、Ａ・・・アダプタ、Ｃ・・・器具取付面（天井面）、Ｃｂ・・・配線器具（引掛けシーリングボディ）、１０・・・センター部材
【図１】
0005158456.tif 000002
【図２】
0005158456.tif 000003
【図３】
0005158456.tif 000004
【図４】
0005158456.tif 000005
【図５】
0005158456.tif 000006
【図６】
0005158456.tif 000007